(57)【要約】【課題】通知情報を配送物の配送先のみに通知することができるとともに、この通知情報が印刷された領域を配送物から容易に隔離する。【解決手段】提供されるサービスを特定するためのサービス特定情報２を、粘着剤８ｂによって配送物に貼付される貼付シート１ａの配送物との貼付面に印刷し、貼付シート１ａの貼付面のうちサービス特定情報２が印刷されている領域には粘着剤８ｂを塗布しないとともに、他の領域に対して切り離し可能とするためにミシン目４を設ける。【選択図】  図１
2004291570.tif 000002
【特許請求の範囲】
【請求項１】
配送物に貼付可能に構成され、該配送物の配送先に通知すべき通知情報が印刷された配送伝票であって、
前記通知情報は、前記配送物に対する貼付面に印刷され、
該貼付面のうち前記通知情報が印刷されている領域は、接着性を有さないとともに他の領域に対して切り離し可能に構成されていることを特徴とする配送伝票。
【請求項２】
配送物に貼付可能に構成され、該配送物の配送先に通知すべき通知情報が印刷された第１のシートと、前記第１のシートに対して、前記通知情報を隠蔽するように重ね合わされた状態で剥離可能に接着された第２のシートとを少なくとも有してなる配送伝票であって、
前記第１のシートは、前記通知情報が印刷されている領域が、前記配送物に対する接着性を有さないとともに他の領域に対して切り離し可能に構成されていることを特徴とする配送伝票。
【請求項３】
請求項２に記載の配送伝票において、
前記第２のシートは、前記第１のシートと接着された際に前記通知情報に重なる領域に、当該第２のシートの透過性を低下させる加工が施されていることを特徴とする配送伝票。
【発明の詳細な説明】
【０００１】
【発明の属する技術分野】
本発明は、配送先に通知すべき通知情報が印刷され、配送物に貼付可能に構成された配送伝票に関する。
【０００２】
【従来の技術】
近年、配送物に貼付される配送伝票に、所定のサービスを提供するためのサービス情報を印刷しておき、このサービス情報を用いて商品を販売する等といった所定のサービスを提供するサービス提供方法が考えられている。
【０００３】
このサービス提供方法においては、所定のサービスを特定するためのサービス特定情報が印刷された配送伝票が貼付された配送物が配送先に配送された後、配送物の配送先となる受取人がこのサービス特定情報が印刷された配送伝票あるいは該配送伝票のうちサービス特定情報が印刷された部分を、例えば、指定された店舗に持参することによって、サービス特定情報によって特定されるサービスが配送物の受取人に提供される。また、配送物の受取人が、インターネット上の所定のサイトにアクセスし、このサイトにサービス特定情報を送信することによっても、サービス特定情報によって特定されるサービスが配送物の受取人に提供される（例えば、特許文献１参照。）。
【０００４】
また、複数枚のシートが剥離可能に接着されて構成される配送伝票において、互いに接着される複数枚のシートのうち、表出面とはならないシートあるいはシートの一部のみに所定の情報を印刷しておき、それにより、所定の情報が、複数枚のシートが接着された状態では外部から視認不可能とし、シートが剥離された状態で視認可能とする技術が考えられている（例えば、特許文献２参照。）。
【０００５】
そこで、複数枚のシートが剥離可能に接着されて構成される配送伝票に対して、互いに接着される複数枚のシートのうち、表出面とはならないシートあるいはシートの一部のみに所定のサービスを特定するためのサービス特定情報を印刷しておき、複数枚のシートが剥離された場合のみこのサービス特定情報を視認可能とし、それにより、配送伝票が貼付された配送物の受取人が配送物を受け取った後にこの配送伝票を剥離し、配送伝票に印刷されたサービス特定情報を指定した場合に、このサービス特定情報によって特定されるサービスを配送物の受取人に提供することが考えられる。
【０００６】
このようなサービス提供方法においては、サービスを特定するためのサービス特定情報を配送物の受取人にのみが認識することができるため、配送物の受取人にのみ所定のサービスを提供することができるようになる。
【０００７】
【特許文献１】
特開２００２−５２８６６号公報
【特許文献２】
特開平７−７６１９１号公報
【０００８】
【発明が解決しようとする課題】
上述したように、サービスを提供するためのサービス特定情報等といった配送先に通知すべき通知情報が印刷された配送伝票においては、通知情報を配送物の受取人にのみに認識させるためには、配送物を受取人が受け取るまでは通知情報が外部から視認不可能とする必要がある。そのため、例えば、配送伝票が互いに剥離可能に接着された複数枚のシートから構成される場合は、複数枚のシートのうち配送物に貼付されるシートに通知情報を印刷しておけば、配送物が配送先に配送された後に複数のシートが互いに剥離された際に通知情報が視認可能となり、通知情報を配送物の受取人にのみに認識させることができるようになる。
【０００９】
ここで、このように構成された配送伝票を用いて提供されるサービスを配送物の受取人が受けようとする場合においては、上述したように、例えば、配送伝票のうち通知情報が印刷された部分を指定された店舗に持参する等というように、配送物に貼付された配送伝票を剥がしたり、通知情報が印刷された部分を剥がしたりする必要が生じるが、配送伝票は配送物に対して剥離可能に貼付されているわけではないため、配送物に貼付された配送伝票を剥がしたり、通知情報が印刷された部分を剥がしたりする際、配送伝票のうち通知情報が印刷された部分が破損してしまう虞れがあり、その場合、通知情報を用いたサービスを配送物の受取人が受けることができなくなってしまうという問題点がある。
【００１０】
本発明は、上述したような従来の技術が有する問題点に鑑みてなされたものであって、配送物に貼付可能に構成され、該配送物の配送先に通知すべき通知情報が印刷された配送伝票において、通知情報を配送物の配送先のみに通知することができるとともに、この通知情報が印刷された領域を配送物から容易に隔離することができる配送伝票を提供することを目的とする。
【００１１】
【課題を解決するための手段】
上記目的を達成するために本発明は、
配送物に貼付可能に構成され、該配送物の配送先に通知すべき通知情報が印刷された配送伝票であって、
前記通知情報は、前記配送物に対する貼付面に印刷され、
該貼付面のうち前記通知情報が印刷されている領域は、接着性を有さないとともに他の領域に対して切り離し可能に構成されていることを特徴とする。
【００１２】
また、配送物に貼付可能に構成され、該配送物の配送先に通知すべき通知情報が印刷された第１のシートと、前記第１のシートに対して、前記通知情報を隠蔽するように重ね合わされた状態で剥離可能に接着された第２のシートとを少なくとも有してなる配送伝票であって、
前記第１のシートは、前記通知情報が印刷されている領域が、前記配送物に対する接着性を有さないとともに他の領域に対して切り離し可能に構成されていることを特徴とする。
【００１３】
また、前記第２のシートは、前記第１のシートと接着された際に前記通知情報に重なる領域に、当該第２のシートの透過性を低下させる加工が施されていることを特徴とする。
【００１４】
（作用）
上記のように構成された本発明においては、配送物の配送先に通知すべき通知情報が配送物に対する貼付面に印刷され、貼付面のうち通知情報が印刷されている領域が、接着性を有さないとともに他の領域に対して切り離し可能に構成されている場合は、配送物に貼付された状態では、通知情報が配送物に対する貼付面に印刷されていることになるため外部から視認不可能となっている。また、通知情報が印刷された領域は、接着性を有さないために配送物に接着されておらず、また、他の領域に対して切り離し可能に構成されているため、配送物に貼付された配送伝票から容易に隔離することができる。
【００１５】
また、配送物に貼付可能に構成され、該配送物の配送先に通知すべき通知情報が印刷された第１のシートと、第１のシートに対して、通知情報を隠蔽するように重ね合わされた状態で剥離可能に接着された第２のシートとから少なくともなり、第１のシートの通知情報が印刷されている領域が、配送物に対する接着性を有さないとともに他の領域に対して切り離し可能に構成されている場合は、配送物に貼付された状態では、通知情報が第２のシートによって外部から視認不可能となっている。また、配送物に貼付された第１のシートのうち通知情報が印刷された領域は、接着性を有さないために配送物に接着されておらず、また、第１のシートの他の領域に対して切り離し可能に構成されているため、配送物が配送先に配送され、第１のシートから第２のシートが剥離された後、通知情報が印刷された領域を、配送物に貼付された第１のシートから容易に隔離することができる。
【００１６】
また、第２のシートが、第１のシートと接着された際に通知情報に重なる領域に、第２のシートの透過性を低下させる加工が施されているものにおいては、第２のシートを透かして通知情報が視認可能となってしまうことを防ぐことができる。
【００１７】
【発明の実施の形態】
以下に、本発明の実施の形態について図面を参照して説明する。
【００１８】
（第１の実施の形態）
図１は、本発明の配送伝票の第１の実施の形態を示す図であり、（ａ）は積層構造を示す断面、（ｂ）は表面図、（ｃ）は裏面図である。
【００１９】
本形態は図１（ａ）に示すように、粘着剤８ｂが裏面に塗布され、この粘着剤８ｂによって配送物に貼付される貼付シート１ａと、貼付シート１ａの半分の大きさからなり、配送物が配送先に配送された際に貼付シート１ａから剥離される受領票シート１ｂとが接着剤８ａによって剥離可能に接着されて構成されている。
【００２０】
また、受領票シート１ｂは図１（ｂ）に示すように、貼付される配送物の配送先や配送元、あるいは品名等からなる配送情報を印刷するための配送情報印刷領域５ｂと、配送物の受取人が受領印を押下するための押下領域６とが設けられている。
【００２１】
また、貼付シート１ａは図１（ｂ）及び図１（ｃ）に示すように、その表面のうち受領票シート１ｂが接着された場合に表出する領域に、貼付される配送物の配送先や配送元、あるいは品名等からなる配送情報を印刷するための配送情報印刷領域５ａが設けられているとともに、その裏面に、サービスを提供する所定のサイトにアクセスするためのアクセスコードや、サービスの提供に応募するための応募コード等が二次元コードで表現された通知情報であるサービス特定情報２が印刷されている。また、サービス特定情報２が印刷された領域の周囲にはミシン目４が設けられており、これにより、サービス特定情報２が印刷された領域が他の領域から切り離し可能に構成されている。さらに貼付シート１ａの裏面においては、ミシン目４によって切り離し可能に構成された領域には、粘着剤８ｂが塗布されていない。
【００２２】
上記のように構成された配送伝票においては、配送情報印刷領域５ａ，５ｂに、貼付される配送物の配送先や配送元、あるいは品名等からなる配送情報が印刷された後、粘着剤８ｂによって配送物に貼付されて該配送物とともに配送先に配送される。ここで、サービス特定情報２は、貼付シート１ａの裏面に印刷されているため、配送伝票が配送物に貼付された状態では配送物との貼付面に印刷されていることになるため、外部から視認不可能な状態となっている。また、貼付シート１ａのうち、裏面にサービス特定情報２が印刷された領域に、塗りつぶしや網掛け等といった貼付シート１ａの透過性を低下させるような加工を施すことにより、貼付シート１ａを透かしてサービス特定情報２が視認可能となってしまうことを防ぐことができる。この場合、塗りつぶしや網掛け等の加工によって配送情報が視認不可能あるいは認識困難とならないために、配送情報印刷領域５ａが印刷されてない領域の裏面にサービス特定情報２を印刷する必要がある。
【００２３】
配送物が配送先となる受取人にて受け取られると、受領票シート１ｂに設けられた押印領域６に配送物の受取人が受領印を押下した後、受領票シート１ｂが貼付シート１ａから剥離される。なお、貼付シート１ａと受領票シート１ｂとは接着剤８ａによって互いに剥離可能に接着されているため、貼付シート１ａから受領票シート１ｂを容易に剥離することができる。
【００２４】
その後、配送物の受取人が貼付シート１ａの裏面に印刷されたサービス特定情報２を利用して所定のサービスを受ける場合は、ミシン目４に沿って貼付シート１ａを切断すると、サービス特定情報２が印刷された領域が貼付シート１ａから切り離される。ここで、本形態においては、貼付シート１ａが粘着剤８ｂによって配送物に貼付されているものの、ミシン目４によって切り離し可能に構成された領域には粘着剤８ｂが塗布されていないため、貼付シート１ａをミシン目４に沿って切断すると、サービス特定情報２が印刷された領域が貼付シート１ａから隔離可能な状態となる。
【００２５】
このようにして、貼付シート１ａから切り離された片を用いてサービスを受けることになる。例えば、貼付シート１ａから切り離された片を所定の店舗に持参し、店舗にてサービス特定情報２を読み取ることによりサービス特定情報２によって特定されるサービスを受けることや、サービス特定情報２を用いて所定のサイトにアクセスし、サービス特定情報２によって特定される情報をダウンロードすること等が考えられる。
【００２６】
なお、本形態においては、貼付シート１ａの裏面のうち、ミシン目４によって切り離し可能に構成された領域には、粘着剤８が塗布されていない場合を例に挙げて説明したが、貼付シート１ａの裏面全面に粘着剤８ｂを塗布した後、ミシン目４によって切り離し可能に構成された領域に印刷等の加工を施すことにより、ミシン目４によって切り離し可能に構成された領域の接着性を除去することも考えられる。
【００２７】
（第２の実施の形態）
図２は、本発明の配送伝票の第２の実施の形態を示す図であり、（ａ）は積層構造を示す断面、（ｂ）は（ａ）に示した配送情報シート１０１ｂを示す図、（ｃ）は（ａ）に示したサービス情報シート１０１ａを示す図、（ｄ）は裏面図である。
【００２８】
本形態は図２（ａ）に示すように、粘着剤１０８ｂが裏面に塗布され、この粘着剤１０８ｂによって配送物に貼付される第１のシートであるサービス情報シート１０１ａと、配送情報が印刷される第２のシートである配送情報シート１０１ｂとが接着剤１０８ａによって剥離可能に接着されて構成されている。
【００２９】
また、配送情報シート１０１ｂは図１（ｂ）に示すように、スリット１０４ａを介して切り離し可能に連接された２つの片１０３ａ，１０３ｂから構成されており、一方の片１０３ａには、貼付される配送物の配送先や配送元、あるいは品名等からなる配送情報を印刷するための配送情報印刷領域１０５ａが設けられており、また、他方の片１０３ｂには、貼付される配送物の配送先や配送元、あるいは品名等からなる配送情報を印刷するための配送情報印刷領域１０５ｂと、配送物の受取人が受領印を押下するための押下領域１０６とが設けられている。
【００３０】
また、サービス情報シート１０１ａは図１（ｃ）に示すように、サービス情報シート１０１ａと配送情報シート１０１ｂとが互いに重ね合わされるように剥離可能に接着された際に配送情報シート１０１ｂの片１０３ａの下に重ね合わされないような領域に、サービスを提供する所定のサイトにアクセスするためのアクセスコードや、サービスの提供に応募するための応募コード等が二次元コードで表現された通知情報であるサービス特定情報１０２が印刷されているとともに、サービス特定情報１０２が印刷された領域の周囲にミシン目１０４ｂが設けられて構成されている。これにより、サービス特定情報１０２が印刷された領域が他の領域から切り離し可能に構成されている。さらにサービス情報シート１０１ａの裏面においては、ミシン目１０４ｂによって切り離し可能に構成された領域には、粘着剤１０８ｂが塗布されていない。
【００３１】
また、配送情報シート１０１ｂに設けられるスリット１０４ａは、サービス情報シート１０１ａと配送情報シート１０１ｂとの接着加工後に配送情報シート１０１ｂに対してスリット加工されるものであって、サービス情報シート１０１ａにおいては、配送情報シート１０１ｂの片１０３ａの下に配置される領域と片１０３ｂの下に配置される領域とが連接した状態が保たれている。
【００３２】
上記のように構成された配送伝票においては、配送情報印刷領域１０５ａ，１０５ｂに、貼付される配送物の配送先や配送元、あるいは品名等からなる配送情報が印刷された後、粘着剤１０８ｂによって配送物に貼付されて該配送物とともに配送先に配送される。ここで、サービス特定情報１０２は、サービス情報シート１０１ａに印刷されており、かつ、サービス情報シート１０１ａには配送情報シート１０１ｂが重ね合わされるように接着されているため、サービス特定情報１０２が配送情報シート１０１ｂによって隠蔽され、外部から視認不可能な状態となっている。また、配送情報シート１０１ｂのうち、サービス情報シート１０１ａと接着された際にサービス特定情報１０２と重なる領域に、塗りつぶしや網掛け等といった配送情報シート１０１ｂの透過性を低下させるような加工を施すことにより、配送情報シート１０１ｂを透かしてサービス特定情報１０２が視認可能となってしまうことを防ぐことができる。この場合、塗りつぶしや網掛け等の加工によって配送情報が視認不可能あるいは認識困難とならないために、配送情報シート１０１ｂとサービス情報シート１０１ａとが接着された際に配送情報印刷領域１０５ｂと重ならない領域にサービス特定情報１０２を印刷する必要がある。
【００３３】
配送物が配送先となる受取人にて受け取られると、配送情報シート１０１ｂに設けられた押印領域１０６に配送物の受取人が受領印を押下した後、配送情報シート１０１ｂのうち受領票となる片１０３ｂのみがサービス情報シート１０１ａから剥離される。ここで、配送情報シート１０１ｂは、サービス情報シート１０１ａに対して剥離可能に貼付されており、かつ、スリット１０４ａによって片１０３ａと片１０３ｂとが分離可能に構成されているため、配送物に貼付された配送伝票のうち、受領票となる配送情報シート１０１ｂの片１０３ｂのみを配送物から剥離することができる。
【００３４】
その後、配送物の受取人がサービス情報シート１０１ａに印刷されたサービス特定情報１０２を利用して所定のサービスを受ける場合は、ミシン目１０４ｂに沿ってサービス情報シート１０１ａを切断すると、サービス特定情報１０２が印刷された領域がサービス情報シート１０１ａから切り離される。ここで、本形態においては、サービス情報シート１０１ａが粘着剤１０８ｂによって配送物に貼付されているものの、ミシン目１０４ｂによって切り離し可能に構成された領域には粘着剤１０８ｂが塗布されていないため、サービス情報シート１０１ａをミシン目１０４ｂに沿って切断すると、サービス特定情報１０２が印刷された領域がサービス情報シート１０１ａから隔離可能な状態となる。
【００３５】
このようにして、サービス情報シート１０１ａから切り離された片を用いて、第１の実施の形態にて説明したものと同様にサービスを受けることになる。
【００３６】
なお、本形態においては、サービス情報シート１０１ａの裏面のうち、ミシン目１０４ｂによって切り離し可能に構成された領域には、粘着剤１０８ｂが塗布されていない場合を例に挙げて説明したが、サービス情報シート１０１ａの裏面全面に粘着剤１０８ｂを塗布した後、ミシン目１０４ｂによって切り離し可能に構成された領域に印刷等の加工を施すことにより、ミシン目１０４ｂによって切り離し可能に構成された領域の接着性を除去することも考えられる。
【００３７】
また、本形態においては、サービス特定情報１０２がサービス情報シート１０１ａの配送情報シート１０１ｂとの接着面に印刷されているが、該接着面とは反対側の面にサービス特定情報１０２を印刷することも考えられる。その場合、配送伝票が配送物に貼付された状態で、配送情報シート１０１ｂを透かしてサービス特定情報１０２が視認可能となってしまうことを防ぐことができる。
【００３８】
また、上述した２つの実施の形態においては、サービス特定情報２，１０２が二次元コードによって表現されている場合を例に挙げて説明したが、本発明はこれに限らず、バーコード情報や数字あるいは英字からなるコード情報や、または、サービスの一部を示す情報をサービス特定情報２，１０２として印刷しておくことも考えられる。
【００３９】
【発明の効果】
以上説明したように本発明においては、配送物に貼付可能に構成され、該配送物の配送先に通知すべき通知情報が印刷された配送伝票において、通知情報が、配送物に対する貼付面に印刷され、該貼付面のうち通知情報が印刷されている領域が、接着性を有さないとともに他の領域に対して切り離し可能に構成されているため、通知情報を配送物の配送先のみに通知することができるとともに、この通知情報が印刷された領域を配送物から容易に隔離することができる。
【００４０】
また、配送物に貼付可能に構成され、該配送物の配送先に通知すべき通知情報が印刷された第１のシートと、第１のシートに対して、通知情報を隠蔽するように重ね合わされた状態で剥離可能に接着された第２のシートとを少なくとも有してなる配送伝票において、第１のシートが、通知情報が印刷されている領域が、配送物に対する接着性を有さないとともに他の領域に対して切り離し可能に構成されているものにおいても、通知情報を配送物の配送先のみに通知することができるとともに、この通知情報が印刷された領域を配送物から容易に隔離することができる。
【００４１】
また、第２のシートの、第１のシートと接着された際に通知情報に重なる領域に、当該第２のシートの透過性を低下させる加工が施されたものにおいては、第２のシートを透かして通知情報が視認可能となってしまうことを防ぐことができる。
【図面の簡単な説明】
【図１】本発明の配送伝票の第１の実施の形態を示す図であり、（ａ）は積層構造を示す断面、（ｂ）は表面図、（ｃ）は裏面図である。
【図２】本発明の配送伝票の第２の実施の形態を示す図であり、（ａ）は積層構造を示す断面、（ｂ）は（ａ）に示した配送情報シートを示す図、（ｃ）は（ａ）に示したサービス情報シートを示す図、（ｄ）は裏面図である。
【符号の説明】
１ａ    貼付シート
１ｂ    受領票シート
２，１０２    サービス特定情報
４，１０４ｂ    ミシン目
５ａ，５ｂ，１０５ａ，１０５ｂ    配送情報印刷領域
６，１０６    押印領域
８ａ，１０８ａ    接着剤
８ｂ，１０８ｂ    粘着剤
１０１ａ    サービス情報シート
１０１ｂ    配送情報シート
１０３ａ，１０３ｂ    片
１０４ａ    スリット
【図１】
2004291570.tif 000003
【図２】
2004291570.tif 000004